(57)【要約】【課題】単体のスイッチの作動に適し、製造および保守のコストが安く、しかも高いレベルの防水機能が得られる携帯電子機器のスイッチ作動用ゴムキーの防水構造を提供する。【解決手段】ケース１の穴１ａに嵌着される略円筒形状の固定部６ｃの内周に作動杆６ａがヒンジ６ｂを介して一体に形成されているスイッチ作動用ゴムキー６の前記固定部６ｃの外周に形成された防水リブ６ｅが前記ケース１の穴１ａの内周に圧接される携帯電子機器のスイッチ作動用ゴムキーの防水構造において、前記固定部６ｃ内に挿入された剛体リング７が前記固定部６ｃを前記ケース１の穴１ａの内面に向けて押圧する。【選択図】図２
2008311102.tif 000002
【特許請求の範囲】
【請求項１】
ケースの穴に嵌着される略円筒形状の固定部の内周に作動杆がヒンジを介して一体に形成されているスイッチ作動用ゴムキーの前記固定部の外周に形成された防水リブが前記ケースの穴の内周に圧接される携帯電子機器のスイッチ作動用ゴムキーの防水構造において、前記固定部内に挿入された剛体リングが前記固定部を前記ケースの穴の内面に向けて押圧することを特徴とする携帯電子機器のスイッチ作動用ゴムキーの防水構造。
【請求項２】
固定部の前後端に設けられたフランジが前記ケースの外面および内面を係止することにより前記固定部がケースに位置決めされる請求項１の携帯電子機器のスイッチ作動用ゴムキーの防水構造。
【請求項３】
前記剛体リングの外面に設けた凸部が前記固定部の内面に設けた凹部と嵌合することにより前記剛体リングが前記固定部から抜けることが防止される請求項１または２の携帯電子機器のスイッチ作動用ゴムキーの防水構造。
【請求項４】
前記剛体リングの後端に設けたフランジが弾性体を介して前記作動杆を作動させる可動つまみに押圧されることにより前記剛体リングが前記固定部から抜けることが防止される請求項１または２の携帯電子機器のスイッチ作動用ゴムキーの防水構造。
【発明の詳細な説明】
【技術分野】
【０００１】
この発明は携帯電子機器のスイッチ作動用ゴムキーの防水構造に関する。
【背景技術】
【０００２】
従来の携帯電子機器のスイッチ作動用ゴムキーの防水構造の例を図５〜図７により説明かる。図５に示す１は無線機外付け用スピーカマイク（スピーカおよびマイクロホンが単一のケースに収納されたもの）のケースであり、可動つまみ１が設けられている。可動つまみ１はＰＴＴ（PUSH to talk) として動作するものであり、これを押すことによりマイクロホンが作動状態となる。
【０００３】
可動つまみ１は図５、図６に矢印で示すように回動中心軸５ａ回りに回動し、図示していないプリント基板に実装されたタクトスイッチ２をスイッチ作動用ゴムキー６を介して作動させる。スイッチ作動用ゴムキー６は図７に詳しく示すように、円筒形状の固定部６ｃの前後に夫々フランジ６ｄ、６ｄが形成され、さらに、固定部６ｃの内面にヒンジ６ｂ（図６）を介して作動杆６ａが一体に形成されたものであり、可動つまみ１により作動杆６ａが動かされタクトスイッチ２が作動する。
【０００４】
図７の矢印で示すように、スイッチ作動用ゴムキー６をケース１の穴１ａに押し込み図６に示すようにフランジ６ｄの全周をボンド１１でケース１に固定することでスイッチ作動用ゴムキー６がケース１に固定される。また、ボンド１１はケース１の穴１ａの防水機能を果たし、ケース１へ水が侵入することが防止される。
【０００５】
上記スイッチ作動用ゴムキーの防水構造によると、ボンドによりスイッチ作動用ゴムキー６をケース１に固定してしまうため、スイッチ作動用ゴムキー６が適切な位置に固定されなかったりするため、組立てが面倒であり、製造コストが高くなるという問題がぁつた。さらに、スイッチ作動用ゴムキー６またはケース１の一方が破損した場合に、その一方のみを交換することが不可能であり、保守のコストが高くなるという問題あった。
【０００６】
図８に示す従来の携帯電子機器のスイッチ作動用ゴムキーの防水構造の他の例では、プリント基板４にメンブレンスイッチ３が設けられており、ゴム５ｂが貼着された可動つまみ５が防水シート１２を介してメンブレンスイッチ３を作動させる。防水シート１２には両面テープ１２ａが貼付けられており、防水シート１２が両面テープ１２ａによりケース１に貼付けられ、ケース１の穴から水が入ることが防止される。
【０００７】
上記スイッチ作動用ゴムキーの防水構造によると、ゴム部品とスイッチの間に両面テープ付防水シートが別部品として必要であり、また、防水シートが剥がれないように何かで押えつけておく必要があり、部品点数および組立て工数が増大してコスト増大要因となっていた。また、防水シートを介してスイッチを作動させるため、スイッチのクリック感を損ねるという問題があった。
【０００８】
図９〜図１１に従来の携帯電子機器のスイッチ作動用ゴムキーの防水構造のさらに他の例を示す。図９は従来の携帯電子機器のスイッチ作動用ゴムキーの防水構造のさらに他の例を示す分解斜視図、図１０は同スイッチ作動用ゴムキーの防水構造を示す分解断面図、図１１は同スイッチ作動用ゴムキーの防水構造を示す断面図である。
【０００９】
この例では図５〜図７で説明した従来の例におけるスイッチ作動用ゴムキー６がボンドによりケース１に固定されるのではなく、スイッチ作動用ゴムキー６のフランジ６ｄがケース１にボンドにより固定されるのではなく、固定部６ｃの外周面に設けられた防水リブ６ｅがゴムの弾力によりケース１の穴１ａの内周面に圧接されることにより防水機能を得ている。他の構成は図５〜図７に説明したものと同様であり、同一の機能を有する部材に同一の符号を付して詳細な説明を省略する。
【００１０】
上記スイッチ作動用ゴムキーの防水構造では、防水リブ６ｅが円筒形状の固定部６ｃのゴム弾力でケース１の穴１ａの内周面に圧接されるため、圧接力を十分に大きくすることができず、ある限度を越える水圧に耐えられないという問題があった。
【００１１】
特開平９−３０５２８１号公報に提案された防水構造では、キーボードの外面に沿うように成形された弾性体の防水カバー４３がその周囲に形成されたパッキン部４６をキーボードのサポートパネル４１とサポートベース４２で強圧させることで防水空間を形成し、防水空間内のキーボードの防水機能を得ている。
【００１２】
この防水構造では多くのキースイッチの防水機能を１つの防水カバー４３で得ているが、防水カバーが大きいため、部品コストをおよび組立て工数が増大し、単体のスイッチの防水構造には適していない。
【特許文献１】特開平９−３０５２８１号公報、段落００２４〜段落００３８、図１〜図４
【発明の開示】
【発明が解決しようとする課題】
【００１３】
この発明は上記した点に鑑みてなされたものであって、その目的とするところは、単体のスイッチの作動に適し、製造および保守のコストが安く、しかも高いレベルの防水機能が得られる携帯電子機器のスイッチ作動用ゴムキーの防水構造を提供することにある。また、この発明の他の目的はスイッチを作動させるクリック感が得られ、スイッチを確実に作動させることができる携帯電子機器のスイッチ作動用ゴムキーの防水構造を提供することである。
【課題を解決するための手段】
【００１４】
この発明の携帯電子機器のスイッチ作動用ゴムキーの防水構造は、ケースの穴に嵌着される略円筒形状の固定部の内周に作動杆がヒンジを介して一体に形成されているスイッチ作動用ゴムキーの前記固定部の外周に形成された防水リブが前記ケースの穴の内周に圧接される携帯電子機器のスイッチ作動用ゴムキーの防水構造において、前記固定部内に挿入された剛体リングが前記固定部を前記ケースの穴の内面に向けて押圧するものである。
【００１５】
また、前記携帯電子機器のスイッチ作動用ゴムキーの防水構造において、固定部の前後端に設けられたフランジが前記ケースの外面および内面を係止することにより前記固定部がケースに位置決めされるものである。
【００１６】
また、前記各携帯電子機器のスイッチ作動用ゴムキーの防水構造において、前記剛体リングの外面に設けた凸部が前記固定部の内面に設けた凹部と嵌合することにより前記剛体リングが前記固定部から抜けることが防止されるものである。
【００１７】
また、同各携帯電子機器のスイッチ作動用ゴムキーの防水構造において、前記剛体リングの後端に設けたフランジが弾性体を介して前記作動杆を作動させる可動つまみに押圧されることにより前記剛体リングが前記固定部から抜けることが防止されるものである。
【発明の効果】
【００１８】
この発明の携帯電子機器のスイッチ作動用ゴムキーの防水構造によれば、防水レベルを高くすることができる。しかも、組立てが容易であり、組立てによるバラツキのない製品が得られる。さらに、分解が容易であるため、保守のコストが低減され、廃棄するときも分別が容易である。また、スイッチを作動させるクリック感が得られ、スイッチを確実に作動させることができる。
【発明を実施するための最良の形態】
【００１９】
以下この発明を実施するための最良の形態を実施例に即して説明する。
【実施例１】
【００２０】
図１はこの発明の実施例１である携帯電子機器のスイッチ作動用ゴムキーの防水構造を示す分解斜視図、図２は同スイッチ作動用ゴムキーの防水構造を示す断面図である。
【００２１】
図１および図２に示すスイッチ作動用ゴムキー６は固定部６ｃの外周面に凹部６ｆが形成されている。そして、図１に矢印で示すようにケース１の穴１ａに嵌め込まれた後、ボンドでケース１に固定されないが、固定部６ｃの前後端に形成されたフランジ６ｄ、６ｄがケース１の表裏面を係止することで位置決めされる。
【００２２】
このスイッチ作動用ゴムキー６に樹脂製または金属製の剛体リング７が押し込まれ剛体リング７の外周面に形成された凸部７ａがスイッチ作動用ゴムキー６の外周面に凹部６ｆに嵌まり込むことにより剛体リング７の抜け止めがなされる。他の構成は図９で説明したものと同様であり、同一の機能を有する部材に同一の符号を付して詳細な説明を省略する。
【００２３】
この例では、スイッチ作動用ゴムキー６の固定部６ｃが剛体リング７により内側から外側方向に押されるため、防水リブ６ｅがケース１の穴１ａ内面に強く圧接され、ＩＰ−＊７防水レベル（ＪＩＳ保護等級７級）の高い防水機能が得られた。また、スイッチ作動用ゴムキー６がケース１にボンドで固定されていないため、分解が容易であり、保守および分別廃棄が低コストで行える。
【実施例２】
【００２４】
図３（ａ）はこの発明の実施例２である携帯電子機器のスイッチ作動用ゴムキーの防水構造を示す断面図、図３（ｂ）は同防水構造を示す部分斜視図である。この例では、剛体リング８にフランジ８ａが形成されており、外周面の凸部が形成されていない。この例では可動つまみ５と剛体リング８のフランジ８ａの間にクッション９が圧縮状態で介装されている。クッション９により剛体リング８の抜け止めがなされる。他の構成は実施例１で説明したものと同様であり、同一の機能を有する部材に同一の符号を付して詳細な説明を省略する。
【００２５】
この例は実施例１と同様の効果が得られるが、さらに、実施例１の剛体リング７の凸部７ａを設けるスペースがないときに有効に適用される。
【実施例３】
【００２６】
図４はこの発明の実施例３である携帯電子機器のスイッチ作動用ゴムキーの防水構造を示す断面図である。この例では、可動つまみと剛体リング８のフランジ８ａの間にスプリング１０が圧縮状態で介装されている。スプリング１０により剛体リング８の抜け止めがなされる。他の構成は実施例２で説明したものと同様であり、同一の機能を有する部材に同一の符号を付して詳細な説明を省略する。この例によっても実施例２と同様の効果が得られる。
【００２７】
実施例は以上のように構成されているが発明はこれに限られず、例えば、タクトスイッチを用いることなく、プリント基板に設けたメンブレンをスイッチ作動用ゴムキーの作動杆で作動させてもよい。また、プリント基板に設けた導体パターンをスイッチ作動用ゴムキーの作動杆に設けた導体膜で導通させるようにしてもよい。
【図面の簡単な説明】
【００２８】
【図１】この発明の実施例１である携帯電子機器のスイッチ作動用ゴムキーの防水構造を示す分解斜視図である。
【図２】同スイッチ作動用ゴムキーの防水構造を示す断面図である。
【図３】図３（ａ）はこの発明の実施例２である携帯電子機器のスイッチ作動用ゴムキーの防水構造を示す断面図、図３（ｂ）は同スイッチ作動用ゴムキーの防水構造を示す部分斜視図である。
【図４】この発明の実施例３である携帯電子機器のスイッチ作動用ゴムキーの防水構造を示す部分断面図である。
【図５】従来の携帯電子機器のスイッチ作動用ゴムキーの防水構造を示す外観図である。
【図６】同スイッチ作動用ゴムキーの防水構造を示す断面図である。
【図７】同スイッチ作動用ゴムキーの防水構造を示す分解斜視図である。
【図８】従来の携帯電子機器のスイッチ作動用ゴムキーの防水構造の他の例を示す断面図である。
【図９】従来の携帯電子機器のスイッチ作動用ゴムキーの防水構造のさらに他の例を示す分解斜視図である。
【図１０】同スイッチ作動用ゴムキーの防水構造を示す分解断面図、
【図１１】同スイッチ作動用ゴムキーの防水構造を示す断面図である。
【符号の説明】
【００２９】
１  ケース、１ａ  穴
２  タクトスイッチ
３  メンブレンスイッチ
４  プリント基板
５  可動つまみ、５ａ  回動中心軸、５ｂ  ゴム
６  スイッチ作動用ゴムキー、６ａ  作動杆、６ｂ  ヒンジ、６ｃ  固定部
６ｄ  フランジ、６ｅ  防水リブ、６ｆ  凹部
７  剛体リング、７ａ  凸部
８  剛体リング、８ａ  フランジ
９  クッション
１０  スプリング
１１  ボンド
１２  防水シート、１２ａ  両面テープ
【図１】
2008311102.tif 000003
【図２】
2008311102.tif 000004
【図３】
2008311102.tif 000005
【図４】
2008311102.tif 000006
【図５】
2008311102.tif 000007
【図６】
2008311102.tif 000008
【図７】
2008311102.tif 000009
【図８】
2008311102.tif 000010
【図９】
2008311102.tif 000011
【図１０】
2008311102.tif 000012
【図１１】
2008311102.tif 000013